(57)【要約】      （修正有）【課題】活動部を多方向に且つ大幅に弾性スウィング動作を行えるようにして、様々な用途に対応できる実用的で使い易い人体サポート用品の提供。【解決手段】人体サポート用品１０の所定固定部位に取り付けるための一つの装着面を有する組立て固定フレーム２０と、その第一端が前記組立て固定フレームの片側と結合してあり、第二端にスウィング動作を行わせるスウィングフレーム３０と、第一弾性柱４１と第二弾性柱４２との最低二組の弾性柱を有する。第一弾性柱は、その第一端が組立て固定フレームの側面と結合してあり、その第二端が人体サポート用品の活動部１２の第一組立て部位と連結してある。第二弾性柱は、その第一端がスウィングフレーム第二端の側面と連結しており、その第二端が人体サポート用品の活動部の第二組立て部位（１２２）と連結してある。【選択図】図１
0003127857.tif 000002
【実用新案登録請求の範囲】
【請求項１】
人体サポート用品（１０）の固定部（１１）と活動部（１２）との間に設置される弾性サポート構造であって、
人体サポート用品（１０）の所定固定部位に取り付けるための一つの装着面（２１）を有する組立て固定フレーム（２０）と、
その第一端が前記組立て固定フレーム（２０）の片側と結合してあり、第二端にスウィング動作を行わせるスウィングフレーム（３０）と、
第一弾性柱（４１）と第二弾性柱（４２）とを有する最低二組の弾性柱（４１、４２）とよりなり、
前記第一弾性柱（４１）は、その第一端（４１１）が組立て固定フレーム（２０）の側面と結合してあり、その第二端（４１２）が人体サポート用品（１０）の活動部（１２）の第一組立て部位（１２１）と連結してあり、
前記第二弾性柱（４２）は、その第一端（４２１）が前記スウィングフレーム（３０）第二端（３２）の側面と連結しており、その第二端（４２２）が人体サポート用品（１０）の活動部（１２）の第二組立て部位（１２２）と連結してある構成としたことを特徴とする人体サポート用品の弾性サポート構造。
【請求項２】
請求項１に記載の人体サポート用品の弾性サポート構造において、
前記スウィングフレーム（３０）の第一端（３１）は、一つのピン軸（３３）によって組立て固定フレーム（２０）に組み付けてあり、
前記スウィングフレーム（３０）の第二端（３２）が、そのピン軸（３３）を回転支点として片方向のみのスウィング動作を行う構成としたことを特徴とする人体サポート用品の弾性サポート構造。
【請求項３】
請求項１に記載の人体サポート用品の弾性サポート構造において、
前記人体サポート用品は、椅子であり、
前記活動部は、前記椅子の背もたれ、枕、シートクッション、又は肘掛けである構成としたことを特徴とする人体サポート用品の弾性サポート構造。
【請求項４】
請求項１に記載の人体サポート用品の弾性サポート構造において、
前記スウィングフレーム（３０）又は組立て固定フレーム（２０）は、間隔的に配置された数個の組み付け穴（３４）を有し、
前記第二弾性柱（４２）が任意の組み付け穴（３４）に組み付けてあり、前記第一弾性柱（４１）と第二弾性柱（４２）との間隔が調整可能である構成としたことを特徴とする人体サポート用品の弾性サポート構造。
【考案の詳細な説明】
【技術分野】
【０００１】
本考案は人体サポート用品の弾性サポート構造に係り、特に、椅子の背もたれの弾性サポート構造に関する。
【背景技術】
【０００２】
椅子はもたれ掛かることの出来る用品として最もよく見られるものであり、一般の椅子の身体支持部位は背もたれ、クッションシート、枕、肘掛け等が含まれるが、その表面は気持ちよくもたれ掛かることができるようにクッション性のあるスポンジで覆われているが、その主体構造は固定されたものであるため、着席した状態であっても、人間の背中、頭部は前後に軽く揺れることがあり、人体の太ももとクッションシートの間は体型の違いにより異なる圧迫感が生じたり、また、肘を椅子の肘掛けにしばらく乗せておくと硬直感や不快感を感じることがある。よって、一般の椅子を使用する時に不快感を感じる主な原因は主体構造が固定されているからである。
【０００３】
このような欠点を改善すべく、一部の業者は椅子の特定部位に弾性スウィング機能を備えた構造を提案したが、その椅子の弾性構造は背もたれ部分のみに適用され、しかもトルクバネを搭載しているため、スウィング運動の方向は一定方向に制限されてしまうため、柔軟性に欠けるところがある。
【０００４】
現在、市場には弾性柱を利用した弾性サポート構造も開発され、弾性柱を利用した設計では弾性柱を多方向に自在に折り曲げることができるため、サポート部位を多方向に自在に傾けることができる。但し、このような構造は通常、十字状に配置された数組の弾性柱を利用して弾性サポート機能を実現するとともに、各方向の伸縮、スウィング弾性を均一な状態に保っているが、椅子のサポート構造としては、人体の運動の特性（例えば左右方向の揺れよりも前後方向の揺れが生じやすい現象）に合わせて、傾斜度をある程度調整できる方向が必要であり、上述の弾性柱を利用した弾性サポート機能設計ではその要求を満たすことが難しく、更なる改善が求められる。
【考案の開示】
【考案が解決しようとする課題】
【０００５】
よって、上述の既存の人体サポート用品の弾性サポート構造の問題点を改善し、より理想的で実用性を伴った新型構造を開発することは業界の目指すところである。
【０００６】
本考案者は長年関連製品の設計開発に携わってきた経験を活かし、上述の目標を達成すべく、工夫を凝らした設計を取り入れ、慎重に評価を重ねた後にやっとこのような実用性をもった考案を提案したのである。
【０００７】
本考案は、上記課題を解決した人体サポート用品の弾性サポート構造を提供することを目的とする。
【課題を解決するための手段】
【０００８】
本考案の主な目的は、一種の人体サポート用品の弾性サポート構造を提供するとともに、既存の問題点を克服、改善することである。問題解決のための主な技術手法は弾性サポート構造を人体サポート用品の所定の固定部及び活動部の間に設置し、それにより活動部に弾性スウィング動作を行わせることである。そして、本考案の技術的な特徴としては組立て固定フレーム、スウィングフレーム及び弾性柱によって構成された弾性サポート構造が挙げられる。本考案における弾性サポート構造の組立て固定フレームは人体サポート用品の所定固定部位に取り付けるための一つの装着面を含む。スウィングフレームの第一端は組立て固定フレームの片側と結合し、スウィングフレームの第二端にスウィング動作を行わせる役割を果たしている。
【０００９】
弾性柱は、最低二組を配置し、その第一弾性柱の第一端は組立て固定フレームのある側面と結合し、第一弾性柱の第二端は人体サポート用品の活動部の第一組立て部位と連結している。第二弾性柱の第一端はスウィングフレーム第二端のある側面と連結しており、第二弾性柱の第二端は人体サポート用品の活動部の第二組立て部位と連結している。
【考案の効果】
【００１０】
このような斬新的な特殊設計により、本考案における人体サポート用品の活動部は弾性柱による多方向の弾性スウィング動作を行えるという特性に加え、スウィングフレームの第二端の特殊なスウィング設計により、人体サポート用品の活動部及びそれと対応する方向に大幅なスウィング動作を行わせることができるため、人体サポート用品の様々な用途に対応できる、より実用的かつ進歩性を有したものとなっている。
【考案を実施するための最良の形態】
【００１１】
以下、本考案の実施例になる人体サポート用品の弾性サポート構造について説明する。
【実施例】
【００１２】
図１、図２、図３、図４は本考案における人体サポート用品の弾性サポート構造の実施例を示すものである。
【００１３】
本実施例における弾性サポート構造Ａは、人体サポート用品１０の所定の固定部１１及び活動部１２の間に設置され、それにより活動部１２に弾性スウィング動作を行わせることが可能となる。本実施例における人体サポート用品１０は、一つの椅子であり、固定部１１及び活動部１２は、椅子の任意の個別部位である。図１乃至図４に示すように、活動部１２は椅子の背もたれ、固定部１１は椅子の縦向サポートフレームとすることができる。その他の実施形態は後に例を挙げて説明する。
【００１４】
人体サポート用品１０弾性サポート構造Ａは下記のユニットを有する。
【００１５】
一つの組立て固定フレーム２０は、板状形態とすることができ、人体サポート用品１０の所定の固定部１１と結合できる一つの装着面２１を含む。装着面２１と固定部１１の結合固定方式については、特別な制限はなく、ネジ螺合方式、半田付け固定方式、リベット結合方式のいずれの方法を用いてもよい。
【００１６】
一つのスウィングフレーム３０は、板状形態とすることができ、その第一端３１は組立て固定フレーム２０の片側に結合され、それによりスウィングフレーム３０の第二端３２はスウィング動作を行うことができる。そして、スウィングフレーム３０の第一端３１は一つのピン軸３３によって組立て固定フレーム２０に組み付けることができ、スウィングフレーム３０の第二端３２はそのピン軸３３を回転支点として片方向のみのスウィング動作を行うことができる。
【００１７】
最低二組の弾性柱４１、４２が図３及び図４に示すように設けてある。第一弾性柱４１の第一端４１１は組立て固定フレーム２０のある側面と結合し、第一弾性柱４１の第二端４１２は人体サポート用品１０の活動部１２の第一組立て部位１２１と連結している。第二弾性柱４２の第一端４２１はスウィングフレーム３０第二端３２のある側面と連結しており（設置方向は前述の第一弾性柱と同じ）、第二弾性柱４２の第二端４２２は人体サポート用品１０の活動部１２の第二組立て部位１２２と連結している。
【００１８】
この構造における弾性柱４１、４２の組立て固定方式は、図４に示すように、弾性柱４１、４２の第一端４１１、４２１及び第二端４１２、４２２にねじ受け４３を埋め込むことで、ボルト４４によって弾性柱４１、４２、組立て固定フレーム２０、スウィングフレーム３０、活動部１２を結合固定させることができる。
【００１９】
上述の設計及び構造により、本考案における弾性サポート構造Ａは特殊な効果を発揮することができる。図４に示すように、人体サポート用品の活動部１２は弾性柱４１、４２の働きにより多方向の弾性スウィング動作を行えるという特性に加え、スウィングフレーム３０の第二端３２がスウィング動作を行えるという特徴も兼ね備えており、人体サポート用品の活動部１２及びそれと対応する方向により大幅なスウィング動作を行わせることが出来る（図４の符号Ｌで表示している箇所を参照）。そして、この設計のメリットとしては、本実施例の活動部１２を椅子の背もたれとした場合、人が椅子に腰掛けた時、背中部分は自然と前後方向に動くことが多いため、前述のスウィングフレーム３０の第二端３２がもつスウィング機能はちょうどこのような人体の慣性に対応できるものとなっている。
【００２０】
図５に示すように、スウィングフレーム３０及び／または組立て固定フレーム２０は間隔的に配置された数個の組み付け穴３４をもつ構造形態を採用することができる。それにより弾性柱４２を任意の組み付け穴３４に組み付け、二組の弾性柱４１，４２の間隔を調整することができる。弾性柱４１，４２の間隔が変わるとスウィングフレーム３０の回転トルクアームも同時に変化するため、様々な用途に合わせて弾性サポートの強度を変えることができる。
【００２１】
図６は活動部１２を椅子の背もたれとしたとき、背もたれを二枚式の幅調整式形態とすることができることを示している。また、図７に示すように、活動部１２Ｂに一枚式の背もたれ形態を採用することも可能である。
【００２２】
固定部及び活動部を椅子のその他の部位に適用した場合の実施形態を以下に説明する。
【００２３】
先ずは、図８に示すように、活動部１２Ｃを椅子の枕とした場合、固定部１１Ｃは活動部１２Ｃを支えるサポートフレームとなる。この実施例は弾性サポート構造Ａのスウィングフレーム３０の第二端３２がもつスウィング機能により、活動部１２及びそれと対応する方向により大きなスウィング動作を実現し（図８中の白抜きの太い矢印が示す方向）、頭部が後方にもたれた時に適度な弾性スウィング効果を生むことが出来る。
【００２４】
図９に示すように、活動部１２Ｄを椅子の肘掛けとした場合、固定部１１Ｄは活動部１２Ｃを支えるサポートフレームとなる。この実施例は弾性サポート構造Ａのスウィングフレーム３０第二端３２がもつスウィング機能により、活動部１２及びそれと対応する方向により大きなスウィング動作を実現し（図９中の白抜きの太い矢印が示す方向）、手の肘を乗せた時に適度な弾性スウィング効果を生むことが出来る。
【００２５】
図１０及び図１１に示すように、活動部１２Ｅを椅子のクッションシートとした場合、固定部１１Ｅは活動部１２Ｅを支えるサポートベースフレームとなる。この実施例は弾性サポート構造Ａのスウィングフレーム３０第二端３２がもつスウィング機能により、活動部１２Ｅ及びそれと対応する方向により大きなスウィング動作を実現し（図１１の白抜きの太い矢印が示す方向）、着席したときの太ももサポート部位に適度な弾性スウィング効果を生むことが出来る。さらに、本実施例において、間隔を空けた状態で活動部１２Ｅ及び固定部１１Ｅを別々に配置したり（図１０を参照）、または図１２のように活動部１２Ｆ及び固定部１１Ｆを一式の結合構造とすることも可能である。
【００２６】
また、上述の実施例における人体サポート用品は椅子というシンプルな構造を例に取り上げて説明しているが、人体サポート用品はそれだけに留まらず、例えばエクササイズ器具或いは電車の人体サポート部位も同じく背もたれ、クッションシート等の類似した構造を含むため、本考案に掲げる弾性サポート構造Ａを上記対象に適用した場合でも同等の効果が期待できると考え、この類の簡易型応用は全て本考案の範疇に含まれるものとする。
【００２７】
上記実施例になる人体サポート用品の弾性サポート構造は以下の効果を有する。
【００２８】
１．人体サポート用品１０（例えば椅子）の活動部１２は本考案に掲げる弾性サポート構造の弾性柱４１、４２を利用して多方向の弾性スウィング動作を行えるという特性に加え、スウィングフレーム３０の第二端３２の特殊なスウィング設計により、人体サポート用品１０の活動部１２及びそれと対応する方向に大幅なスウィング動作を行わせることができるため、人体サポート用品の様々な用途に対応でき、より実用的かつ進歩性を有したものとなっている。
【００２９】
２．スウィングフレーム３０及び／または組立て固定フレーム２０に間隔的に配置された数個の組み付け穴３４をもつ構造型態を採用したことにより、弾性柱４２を任意の組み付け穴３４に組み付け、二組の弾性柱４１，４２の間隔を調整することができる。弾性柱４１，４２の間隔が変わるとスウィングフレーム３０の回転トルクアームも同時に変化するため、様々な需要に合わせて弾性サポートの強度を変えることができる。
【００３０】
上述の実施例は本考案を具体的に説明したものである。文中では特定の専門用語を用いて説明しているが、本実用新案の登録請求の範囲を限定するものではなく、この技術分野を熟知した人員は本考案の精神及び原則を逸脱しない限り、本考案に変更または改良を加えることができる。しかし、それらの変更または改良は全て実用新案申請の範疇に含まれるものとする。
【図面の簡単な説明】
【００３１】
【図１】本考案の第１実施例における人体サポート用品の斜視図である。
【図２】図１中、Ｂ部位の拡大図である。
【図３】弾性サポート構造の斜視図である。
【図４】本考案の弾性サポート構造の断面図である。
【図５】スウィングフレームに数組の組み付け穴を設置した実施例を示す図である。
【図６】椅子の二枚式背もたれに、本考案の弾性サポート構造を適用した構成を示す図である。
【図７】椅子の一枚式背もたれに、本考案の弾性サポート構造を適用した構成を示す図である。
【図８】椅子の枕に、本考案の弾性サポート構造を適用した構成を示す図である。
【図９】椅子の肘掛けに、本考案の弾性サポート構造を適用した構成を示す図である。
【図１０】椅子のクッションシートに、本考案の弾性サポート構造を適用した構成を示す斜視図である。
【図１１】図１０に示す椅子の側面図である。
【図１２】図１０に示す椅子の変形例を示す斜視図である。
【符号の説明】
【００３２】
Ａ        弾性サポート構造
１０      人体サポート用品
１１      固定部
１２      活動部
２０      組立て固定フレーム
２１      装着面
３０      スウィングフレーム
３１      第一端
３２      第二端
３３      ピン軸
３４      組み付け穴
４１      第一弾性柱
４２      第二弾性柱
４３      ねじ受け
４４      ボルト
１２１    第一組立て部位
１２２    第二組立て部位
４１１    第一端
４１２    第二端
４２１    第一端
４２２    第二端
【図１】
0003127857.tif 000003
【図２】
0003127857.tif 000004
【図３】
0003127857.tif 000005
【図４】
0003127857.tif 000006
【図５】
0003127857.tif 000007
【図６】
0003127857.tif 000008
【図７】
0003127857.tif 000009
【図８】
0003127857.tif 000010
【図９】
0003127857.tif 000011
【図１０】
0003127857.tif 000012
【図１１】
0003127857.tif 000013
【図１２】
0003127857.tif 000014